(57)【特許請求の範囲】
【請求項１】
工具本体を他部位へ引き掛けて保持するためのフックをハンドル部に備えた携帯工具であって、
前記フックは、前記ハンドル部に設けたフック保持部と、該フック保持部を介して前記ハンドル部に保持されるフック本体を備え、
前記フック保持部は、前記フック本体を前記ハンドル部の左側と右側の双方に向きを変えて取り付け可能であり、各位置において前記ハンドル部との間の間隔を変更可能な構成とし、
前記フック本体は、前記フック保持部に対する取り付け部としての左右一対の支持脚部を備え、該左右一対の支持脚部は相互に開き方向に弾性付勢されており、該左右の支持脚部を弾性付勢力に抗して相互に接近させて閉じると前記フック保持部から取り外し可能となり、該左右の支持脚部を前記弾性付勢力により相互に開くと前記フック保持部に対する取り付け状態に保持される構成とした携帯工具。
【請求項２】
請求項１記載の携帯工具であって、前記フック保持部は、前記フック本体の左右の支持脚部を同時に挿入可能な支持孔を左右に対をなして備え、該両支持孔は、それぞれ前記左右の支持脚部をその弾性付勢力に抗して相互に閉じた状態で同時に挿入可能、かつ該左右の支持脚部をその弾性付勢力により相互に開いて前記支持孔の端部に係合可能であり、いずれか一方の支持孔を選択して、前記フック本体の前記ハンドル部に対する向き及び間隔を変更可能な構成とした携帯工具。
【請求項３】
請求項２記載の携帯工具であって、前記両支持孔は、連結孔を介して相互に連通されており、該連結孔は前記フック本体の両支持脚部を弾性付勢力に抗して相互に閉じた状態で通過可能である一方、該両支持脚部を弾性付勢力により相互に開いた状態では通過不能に設けられた携帯工具。
【請求項４】
請求項３記載の携帯工具であって、前記ハンドル部は２つ割り構造のハンドルハウジングを相互に突き合わせて構成され、該両ハンドルハウジング間に前記フック保持部を挟んで固定した携帯工具。
【発明の詳細な説明】
【技術分野】
【０００１】
この発明は、例えば電動ドライバ等の孔開け工具、電気タッカやガス燃焼式の打ち込み工具等の主として手持ち式の工具であって、使用しない場合には作業者がベルト等に引き掛けて携帯するためのフックを備えた工具に関する。
【背景技術】
【０００２】
通常、この種の手持ち工具には、使用しない場合に作業者がベルト等に引き掛けて携帯するためのフックが備え付けられている。多くの場合このフックは、作業者が把持するハンドル部の後端部付近であって作業の邪魔にならない部位に備え付けられている。このフックについては従来より様々な工夫が加えられている。例えば下記の特許文献１には、フックの位置について、ハンドル部の左側又は右側のいずれにも任意に取り付け可能とした技術が開示され、特許文献２には、ハンドル部の片側においてフックの向きを変更することによりハンドル部との間の間隔（いわゆる懐寸法）を引き掛ける部位に合わせて調整可能とする技術が開示され、特許文献３には、フックをハンドル部に沿って収納可能とする技術が開示されている。
【特許文献１】特開平10-15852号公報
【特許文献２】特開2001-162566号公報
【特許文献３】米国特許第7306052号公報
【発明の開示】
【発明が解決しようとする課題】
【０００３】
しかしながら、特許文献１に開示された技術ではフックとハンドル部との間の間隔を変更することができず、特許文献２に開示された技術ではハンドル部の左右反対側に位置変更することができず、特許文献３に開示された技術ではハンドル部の左右同じ側において当該ハンドル部との間の間隔を任意に変更することができなかった。
このように、従来簡易な構成で、ハンドル部との間隔を変更可能であるとともに、ハンドル部の左側若しくは右側に任意に位置変更可能としたものが提供されておらず、この点で従来のフックについてはその使い勝手をより一層高める必要があった。
本発明は、極めて簡易な構成であるにもかかわらず、ハンドル部の左側と右側の双方で使用可能であるとともに、いずれの側においてもハンドル部との間の間隔を変更可能とした使い勝手のよいフックを備えた携帯工具を提供することを目的とする。
【課題を解決するための手段】
【０００４】
上記の課題は以下の各発明により解決される。
第１の発明は、工具本体を他部位へ引き掛けて保持するためのフックをハンドル部に備えた携帯工具であって、フックは、ハンドル部に設けたフック保持部と、フック保持部を介してハンドル部に保持されるフック本体を備え、フック保持部は、フック本体をハンドル部の左側と右側の双方に向きを変えて取り付け可能であり、各位置においてハンドル部との間の間隔を変更可能な構成とした携帯工具である。
第１の発明によれば、フック本体をハンドル部の左側と右側の双方に取り付け可能であるとともに、いずれの位置においてもハンドル部に対する間隔を変更可能であるので、当該フックの使い勝手を従来よりも高めることができる。
第２の発明は、第１の発明において、フック本体は、フック保持部に対する取り付け部としての左右一対の支持脚部を備え、左右一対の支持脚部は相互に開き方向に弾性付勢されており、左右の支持脚部を弾性付勢力に抗して相互に接近させて閉じるとフック保持部から取り外し可能となり、左右の支持脚部を弾性付勢力により相互に開くとフック保持部に対する取り付け状態に保持される構成とした携帯工具である。
第２の発明によれば、フック本体の左右の支持脚部を例えば指先で摘んでその弾性付勢力に抗して相互に閉じると、当該フック本体をフック保持部ひいてはハンドル部から取り外し可能となる。逆に、左右の支持脚部をその弾性付勢力により相互に開いた状態とすると当該フック本体がフック保持部を介してハンドル部に取り付けられた状態に保持される。
第３の発明は、第１又は第２の発明において、フック保持部は、フック本体の左右の支持脚部を同時に挿入可能な支持孔を左右に対をなして備え、両支持孔は、それぞれ左右の支持脚部をその弾性付勢力に抗して相互に閉じた状態で同時に挿入可能、かつ左右の支持脚部をその弾性付勢力により相互に開いて支持孔の端部に係合可能であり、いずれか一方の支持孔を選択して、フック本体のハンドル部に対する向き及び間隔を変更可能な構成とした携帯工具である。
第３の発明によれば、フック保持部に設けた２つの支持孔を任意に選択してフック本体の両脚部を挿入することにより、当該フック本体のハンドル部に対する向きを変更することができ、かつハンドル部との間の間隔を変更することができる。
第４の発明は、第３の発明において、両支持孔は、連結孔を介して相互に連通されており、連結孔はフック本体の両支持脚部を弾性付勢力に抗して相互に閉じた状態で通過可能である一方、両支持脚部を弾性付勢力により相互に開いた状態では通過不能に設けられた携帯工具である。
第４の発明によれば、両脚部を例えば指先で摘んで相互に閉じれば、連結孔を経て２つの支持孔間を移動させることができるので、当該フック本体をフック保持部ひいてはハンドル部から一旦取り外す手間を掛けることなく、そのハンドル部との間の間隔を変更することがでる。
第５の発明は、第４の発明において、ハンドル部は２つ割り構造のハンドルハウジングを相互に突き合わせて構成され、両ハンドルハウジング間にフック保持部を挟んで固定した携帯工具である。
第５の発明によれば、ハンドル部に対するフック保持部の取り付けを簡単な構成で実現することができる。
【発明を実施するための最良の形態】
【０００５】
次に、本発明の実施形態を図１〜図６に基づいて説明する。図１は、本実施形態に係る携帯工具１の全体を示している。本実施形態では、携帯工具１の一例としてガス燃焼式の釘打ち機が示されている。
この携帯工具１は、工具本体１０と、ハンドル部２０を備えている。ハンドル部２０の後端部にフック４０が装備されている。本実施形態に係る携帯工具１は、このフック４０に特徴を有しており、工具本体１０の構成等であって当該携帯工具１の基本的な構成については従来と同様で足り、本実施形態において特に変更を要しないので以下簡単に説明する。
工具本体１０の先端には釘打ち出し用のドライバガイド１１が設けられている。このドライバガイド１１とハンドル部２０の後端部付近との間に跨った状態でマガジン３０が取り付けられている。工具本体１０の打ち込み動作に連動してマガジン３０内の釘が１本ずつドライバガイド１１内に供給され、これがドライバガイド１１の先端から打ち出される。工具本体１０内では、シリンダ内に供給したガスの燃焼によりピストンを下動させ、これに一体に取り付けた釘打撃用のドライバをドライバガイド１１内で下動させることにより１本の釘が打撃されて打ち出される。
ハンドル部２０は工具本体１０の側部から側方へ突き出す状態に一体に設けられている。工具本体１０とハンドル部２０は、左右２つ割り構造のハウジングを備えている。ハンドル部２０を構成する左右２つ割り構造のハンドルハウジング２１，２２が接合部Ｊで相互に突き合わされて、使用者が把持しやすい形状のハンドル部２０が構成されている。
以下の説明において、部材等の左右方向及び前後方向については、ハンドル部２０を把持した使用者から見た方向を基準として用いる。従って、ドライバガイド１１は工具本体１０の前部から前方へ突き出す状態に設けられており、また図１において工具本体１０の上端部は後端部（使用者から見て手前側）となり、フック４０はハンドル部２０の左側に配置されている。
【０００６】
フック４０は、フック本体４１とこれをハンドル部２０に保持するためのフック保持部４２を備えている。図２に示すようにフック保持部４２は、ハンドル部２０を構成する左右２つ割り構造のハンドルハウジング２１，２２の間に挟み込まれて固定されている。
図３には、フック本体４１が単独で示され、図４にはフック保持部４２が単独で示されている。
フック本体４１は、ばね性を有する１本の鋼線を概ねＵ字形に折り曲げて形成したもので、その先端側からＵ字形の引き掛け部４１ａと、２本の延長腕部４１ｂ，４１ｂ及び２本の支持脚部４１ｃ，４１ｃを備えている。引き掛け部４１ａの両端からそれぞれ延長腕部４１ｂが概ね直交方向に延びている。両延長腕部４１ｂ，４１ｂは引き掛け部４１ａの両端部から相互に平行に延びている。両延長腕部４１ｂ，４１ｂの先端からそれぞれ支持脚部４１ｃが概ね直交方向（引き掛け部４１ａと同じ方向）に延びている。両支持脚部４１ｃ，４１ｃの先端は、それぞれ相互に離間する方向に折り曲げられて係合部４１ｄが形成されている。
このフック本体４１は、その引き掛け部４１ａがＵ字形を有してその開き方向に弾性付勢力を有していることにより、両延長腕部４１ｂ，４１ｂを相互に離間させる方向（図２及び図３において白抜きの矢印で示す方向）に全体として弾性付勢力を有している。このため、使用者は、指先で両延長腕部４１ｂ，４１ｂを挟んで、その弾性付勢力に抗して相互に接近する方向に閉じることができる。両延長腕部４１ｂ，４１ｂを弾性付勢力に抗して閉じることにより、両支持脚部４１ｃ，４１ｃ及び両係合部４１ｄ，４１ｄを相互に接近させる方向に変位させることができる。本実施形態の場合、両延長腕部４１ｂ，４１ｂを介して両支持脚部４１ｃ，４１ｃを弾性付勢力に抗して相互に接近させる方向に変位させることができる。従って、延長腕部４１ｂを含む支持脚部４１が特許請求の範囲に記載した支持脚部に相当する。
両支持脚部４１ｃ，４１ｃを相互に接近させて閉じることにより当該フック本体４１の位置を変更することができ、またフック保持部４２から取り外すことができる。これについては後述する。
【０００７】
フック保持部４２は、四方に側壁部４３〜４６を有する枠体をなすもので、一体に形成されている。このフック保持部４２は、相互に対向する左右の側壁部４３，４４と同じく相互に対向する前後の側壁部４５，４６を備えている。左側の側壁部４３の中央には矩形の挿通孔４３ａが設けられている。この挿通孔４３ａに対向して、右側の側壁部４４の内側中央にはボス部４４ａが設けられ、このボス部４４ａの中心には挿通孔４４ｂが設けられている。両挿通孔４３ａ，４４ｂは相互に同軸に配置されている。
この両挿通孔４３ａ，４４ｂには、左右ハンドルハウジング２１，２２の内面に設けたねじボス部ががたつきなく嵌め込まれ、各ボス部の内周側には当該左右ハンドルハウジング２１，２２を相互に突き合わせ状態で結合する固定ねじが挿通される。左右のハンドルハウジング２１，２２間にこのフック保持部４２を挟み込み、この挟み込み状態でこの固定ねじが締め付けられることにより、当該左右のハンドルハウジング２１，２２が相互に結合されるとともに、フック保持部４２が両ハンドルハウジング２１，２２間に固定され、従ってハンドル部２０の後端内部に固定される。
前後の側壁部４５，４６の左右両端には、それぞれ支持孔４５ａ，４５ｂ，４６ａ，４６ｂが設けられている。各支持孔４５ａ，４５ｂ，４６ａ，４６ｂは、フック本体４１の支持脚部４１ｂをがたつきなく収容可能な幅で相互に平行に設けられている。フック本体４１は、一方の支持脚部４１ｃを前側の支持孔４５ａ（又は４５ｂ）に保持し、他方の支持脚部４１ｃを後側の支持孔４６ａ（又は４６ｂ）に保持した状態で、当該フック保持部材４２の左側若しくは右側に張り出す状態に支持される。
【０００８】
前側の支持孔４５ａ，４５ｂは、連結溝部４５ｃを経て左右相互に連通されている。また、後側の支持孔４６ａ，４６ｂは、連結溝部４６ｃを経て同じく左右相互に連結されている。前側の連結溝部４５ｃの前側は案内壁部４５ｅで区画され、後側は保持壁部４５ｄで区画されている。また、後側の連結溝部４６ｃの前側は保持壁部４６ｄで区画され、後側は案内壁部４６ｅで区画されている。前後の保持壁部４５ｄ，４６ｄ間に前記ボス部４４ａが設けられている。
フック本体４１の一方の支持脚部４１ｃは、前側の連結溝部４５ｃを経て左右の支持孔４５ａ，４５ｂ間を移動可能であり、他方の支持脚部４１ｃは、後側の連結溝部４６ｃを経て左右の支持孔４６ａ，４６ｂ間を移動可能となっている。
前後の案内壁部４５ｅ，４６ｅは、それぞれ連結溝部４５ｃ，４６ｃの左右方向ほぼ中央を境として左側及び右側へ下る方向に傾斜した山形に形成されている。前記したようにフック本体４１の両支持脚部４１ｃ，４１ｃが弾性付勢力によってそれぞれ案内壁部４５ｅ，４６ｅに押し付けられると、その傾斜作用によって当該両支持脚部４１ｃ，４１ｃが左側の支持孔４５ａ，４６ａ若しくは右側の支持孔４５ｂ，４６ｂに案内される。このため、両支持脚部４１ｃ，４１ｃが連結溝部４５ｃ，４６ｃ内の中途位置に留まることが防止されて、当該両支持脚部４１ｃ，４１ｃが左側の支持孔４５ａ，４６ａ内若しくは右側の支持孔４５ｂ，４６ｂ内に安定的に保持される。
また、連結溝部４５ｃ，４６ｃの案内壁部４５ｅ，４６ｅがその中央で山形に突き出しており、かつフック本体４１の両支持脚部４１ｃ，４１ｃが両案内壁部４５ｅ，４６ｅに押し付けられる方向に弾性付勢されていることにより、フック本体４１の両支持脚部４１ｃ，４１ｃが一旦支持孔４５ａ，４６ａ内（または４５ｂ，４６ｂ内）に保持されると、当該携帯工具の振動等によって両支持脚部４１ｃ，４１ｃが支持孔４５ａ，４６ａ（または４５ｂ，４６ｂ）から抜け出すことが防止されることから、当該フック本体４１が安定した状態で装着される。
また、前後の保持壁部４５ｄ、４６ｄは、右側の側壁部４４から延びて、左側の側壁部４３に至る手前で途切れている。このため、左側の側壁４３の内面に沿って前後方向に連通したフック取り外し用の取り外し溝部４７が設けられている。この取り外し溝部４７を経て左前側の支持孔４５ａと左後側の支持孔４６ａが相互に連通されている。使用者がフック本体４１の両延長腕部４１ｂ，４１ｂを摘んで両支持脚部４１ｃ，４１ｃを弾性付勢力に抗して相互に接近させ、これにより当該両支持脚部４１ｃ，４１ｃを取り外し溝部４７内に進入させて、当該両支持脚部４１ｃ，４１ｃを相互に十分に接近させることができる。
【０００９】
前側の側壁部４５には、左右の支持孔４５ａ，４５ｂの下端部に対応して当接壁部４５ｆ，４５ｆが前方へ張り出す状態に設けられている。また、後側の側壁部４６にも、左右の支持孔４６ａ，４６ｂの下端部に対応して当接壁部４６ｆ，４６ｆが後方へ張り出す状態に設けられている。
これらの当接壁部４５ｆ，４５ｆ，４６ｆ，４６ｆには、フック本体４１の係合部４１ｄ，４１ｄが背面側（図２において紙面手前側とは反対側）から当接されて、当該フック本体４１のフック保持部４２からの取り外し方向（図２及び図４において手前側）への移動（脱落）が規制される。
上記したように、使用者がフック本体４１の両延長腕部４１ｂ，４１ｂを摘んで相互に接近させる方向に変位させ、これにより両支持脚部４１ｃ，４１ｃを取り外し溝部４７内に進入させて相互に十分に接近した状態とすることができる。両支持脚部４１ｃ，４１ｃを取り外し溝部４７内に進入させて相互に十分に接近させることにより、それぞれの係合部４１ｄを当接壁部４５ｆ，４６ｆの背面側から退避させて支持孔４５ａ，４６ａ内に位置させることができる。この状態では、当該係合部４１ｄ，４１ｄ及び支持脚部４１ｃ，４１ｃを支持孔４５ａ，４６ａ内から手前側へ抜き出し可能となり、従って当該フック本体４１をフック保持部材４２から取り外し可能となる。
このように、フック保持部４２の左側に設けた取り外し溝部４７を用いることによって、フック本体４１を当該フック保持部４２から取り外し可能となり、逆にフック本体４１をフック保持部４２に取り付けることができる。フック本体４１を取り付ける場合には、その左右の向きを任意に選択して、両支持脚部４１ｃ，４１ｃを取り外し溝部４７内に進入させ、その後弾性付勢力によって当該両支持脚部４１ｃ，４１ｃを相互に離間する方向に戻してそれぞれ支持孔４５ａ，４６ａ内に進入させることにより、当該フック本体４１をハンドル部２０の左側又は右側のいずれにも取り付けることができる。
以上のように構成されたフック保持部４２が、図１及び図２に示すようにハンドル部２０の後端内部に固定されている。ハンドル部２０の後端面には、前後２つの開口部２３，２４が設けられている。両開口部２３，２４は、前後に一定の間隔をおいてそれぞれ接合部Ｊを経て左右ハンドルハウジング２１，２２間に跨った状態で設けられている。
前側の開口部２３を経て、前側の連結溝部４５ｃと前側左右の支持孔４５ａ，４５ｂがハンドル外部に開放されている。また、後側の開口部２４を経て、後側の連結溝部４６ｃと後側左右の支持孔４６ａ，４６ｂがハンドル外部に開放されている。
また、両開口部２３，２４の前後幅は、前記した取り外し溝部４７が十分に機能する程度に大きな幅で形成されている。
【００１０】
以上のように構成した本実施形態の携帯工具１によれば、ハンドル部２０の後端にフック４０を備えている。このフック４０を用いることにより、当該携帯工具１を使用しない場合に、使用者は自身の腰ベルトに引き掛け、あるいは脚立の足掛け台等に引き掛けておくことができるので、当該携帯工具１の取り扱いが楽になり、また当該携帯工具１を用いた各種の作業を効率よく行うことができるようになる。
また、例示したフック４０によれば、フック本体４１の取り付け位置をハンドル部２０の左側部又は右側部のいずれの側にも変更することができ、かつそれぞれの側においてハンドル部２０の側部と引き掛け部４１ａとの間の間隔（いわゆる懐寸法）を引き掛ける部位に合わせて大小二段階で変更することができる。
図６には、ハンドル部２０の左側に取り付けられた状態のフック本体４１が実線で示されている。以下、この実線で示す位置を左側大間隔位置という。図６において、この左側大間隔位置に取り付けられた状態のフック本体４１の引き掛け部４１ａに符号（ＬＬ）が付されている。また、図１及び図２では、フック本体４１がこの左側大間隔位置に取り付けられた状態が示されている。
この左側大間隔位置に取り付けられた状態では、フック本体４１の引き掛け部４１ａとハンドル部２０の側部との間の間隔が大きくなっている。このため、この左側大間隔位置は、当該携帯工具１を例えば脚立の足掛け台や２×４材（ツーバイフォー材）等であって比較的太い部位に引き掛けておく場合に適している。フック本体４１の取り付け位置は、この左側大間隔位置から左側小間隔位置に変更することができる。
フック本体４１の取り付け位置を変更するためには、先ず図６に示すようにこの左側大間隔位置に取り付けられたフック本体４１の前後延長腕部４１ｂ，４１ｂを指先で前後から挟み込んでその弾性付勢力に抗して相互に接近させる方向（図６において白抜きの矢印で示す方向）に移動させる。図６中二点鎖線で示すように両延長腕部４１ｂ，４１ｂが相互に接近すると、これと一体で前後支持脚部４１ｃ，４１ｃが相互に接近する結果それぞれ支持孔４５ａ，４６ａから離脱して連結溝部４５ｃ，４６ｃ内に変位する。
また、前後の支持脚部４１ｃ，４１ｃの間隔が小さくなることにより、その下端部に設けられた係合部４１ｄ，４１ｄがフック保持部４２の当接壁部４５ｆ，４６ｆの背面側から外れて、支持孔４５ａ，４６ａ内若しくは連結溝部４５ｃ，４６ｃ内に至る。
【００１１】
フック本体４１の両係合部４５ａ，４６ａがそれぞれ当接壁部４５ｆ，４６ｆから外れると、前後の支持脚部４１ｃ，４１ｃがそれぞれ連結溝部４５ｃ，４６ｃ内を左右方向に変位可能となることから、当該フック本体４１を左右方向に変位させることができるようになる。図６において実線で示す左側大間隔位置からフック本体４１を右側へ移動させると、フック本体４１の引き掛け部４１ａとハンドル部２０の左側部との間の間隔が小さくなる。フック本体４１をこの左側小間隔位置に移動させた後、前後の延長腕部４１ｂ，４１ｂをその弾性付勢力によって相互に離間する方向に戻すと、前後の支持脚部４１ｃ，４１ｃがそれぞれ右側の支持孔４５ｂ，４６ｂ内に嵌り込み、また係合部４１ｄ，４１ｄが当接壁部４５ｆ，４６ｆの背面側に当接した状態となる。この左側小間隔位置に位置するフック本体４１は、その支持脚部４１ｃ，４１ｃがそれぞれ支持孔４５ｂ，４６ｂ内に沿って弾性付勢力によりがたつきなく嵌め込まれることにより強固に保持される。図５は、フック本体４１を左側小間隔位置に取り付けた状態を示している。
こうしてフック本体４１を左側小間隔位置に移動させると、ハンドル部２０の左側部からの引き掛け部４１ａの懐寸法が小さくなるため、例えば使用者の腰ベルト等であって比較的細い部位（薄い部位）に引き掛けておく場合に適している。図５及び図６において、この左側小間隔位置に取り付けられた状態のフック本体４１の引き掛け部４１ａに符号（ＬＳ）が付されている。
このように、フック本体４１は、ハンドル部２０の左側に張り出す２位置（左側大間隔位置と左側小間隔位置）に取り付けることができる他、ハンドル部２０の右側に取り付けることもできる。フック本体４１を左側大間隔位置からハンドル部２０の右側に取り付けるには、前記したように先ず前後の延長腕部４１ｂ，４１ｂをその弾性付勢力に抗して指先で摘んで相互に接近させ、これにより前後の支持脚部４１ｃ，４１ｃを支持孔４５ａ，４６ａから取り外し溝部４７内に進入させて、相互に十分に接近させ、これによりそれぞれの係合部４１ｄ，４１ｄを前後の当接壁部４５ｆ，４６ｆの背面側から外して取り外し溝部４７内に位置させる。しかる後に、両支持脚部４１ｃ，４１ｃ及び係合部４１ｄ，４１ｄを取り外し溝部４７及び両開口部２３，２４を経て手前側に抜き出すことによりフック本体４１をフック保持部４２から取り外すことができる。
【００１２】
取り外したフック本体４１の向きを左右反転させ、再度前後の延長腕部４１ｂ，４１ｂをその弾性付勢力に抗して指先で摘んで相互に接近する方向に変位させ、この状態のまま両支持脚部４１ｃ，４１ｃをそれぞれ開口部２３，２４を経て取り外し溝部４７内に挿入する。しかる後に、前後の延長腕部４１ｂ，４１ｂから指先を離して、その弾性付勢力により前後の支持脚部４１ｃ，４１ｃをそれぞれ支持孔４５ｂ，４６ｂ内に嵌め込み、これにより両係合部４１ｄ，４１ｄを当接壁部４５ｆ，４６ｆの背面側に係合させることにより、当該フック本体４１を右側小間隔位置に取り付けることができる。図６において、この右側小間隔位置に取り付けたフック本体４１の引き掛け部４１ａには符号（ＲＳ）が付されている。フック本体４１は、この右側小間隔位置から右側大間隔位置に移動させることができる。この場合は、左側と同様、前後の延長腕部４１ｂ，４１ｂを指先で摘んでその弾性付勢力に抗して相互に接近する方向に変位させ、その後当該フック本体４１を右側へ移動させて、前後支持脚部４１ｃ，４１ｃをそれぞれ前後連結溝部４５ｃ，４６ｃ内に沿って右側へ移動させる。前後の支持脚部４１ｃ，４１ｃを弾性付勢力により案内壁部４５ｅ，４６ｄを摺接させつつ当該フック本体４１を右側へ移動させると、前後の支持脚部４１ｃ，４１ｃが連結溝部４５ｃ，４６ｃの右端部に至った段階で、当該両支持脚部４１ｃ，４１ｃがそれぞれ右側の支持孔４５ａ，４６ａ内に嵌り込み、また係合部４１ｄ，４１ｄがそれぞれ当接壁部４５ｆ，４６ｆの背面側に当接された状態となる。図６において、右側大間隔位置に移動したフック本体４１の引き掛け部４１ａに符号（ＲＬ）が付されてその取り付け位置が他の取り付け位置の引き掛け部４１ａと区別されている。
左側と同様、フック本体４１を上記右側大間隔位置（ＲＬ）に取り付ければ、脚立の足掛け台や２×４材に引き掛けておくことができ、上記右側小間隔位置（ＲＳ）に取り付ければ使用者の腰ベルト等に引き掛けておくことができる。
【００１３】
以上説明したように本実施形態の携帯工具１によれば、ハンドル部２０の後端部に対するフック本体４１の取り付け向きを左側若しくは右側に簡単に変更することができる。しかも、左側及び右側の双方において、引き掛け部４１ａとハンドル部２０の側部との間の間隔（懐寸法）を大小二段階で変更することができる。
このように、例えば使用者の利き腕に合わせて当該フック４０をハンドル部２０の左側及び右側のいずれにおいても用いることができ、またいずれの側においても引き掛ける部位に合わせてフック本体４１の懐寸法を二段階で変更することができるので、これらの点で当該フック４０の使い勝手を従来よりもさらに向上させることができる。
また、フック本体４１の弾性付勢力を利用してこれら各位置に固定する構成であるので、別途固定ねじ等を必要とすることなく、簡単な操作で直接移動させて各位置に固定することができる。
以上説明した実施形態には種々変更を加えることができる。例えば、ハンドルハウジング２１，２２とは別体のフック保持部４２を例示したが、ハンドルハウジング２１，２２の一方若しくは双方に一体に設ける構成としてもよい。この場合、例えば左右２つ割り構造のハンドルハウジング２１，２２のそれぞれに同じく左右２つ割り構造のフック保持部を一体に形成し、左右ハンドルハウジングを接合部Ｊで接合すれば、これとともにフック保持部が同じく接合部Ｊで接合される構成とすることができる。また、左右２つ割り構造のハンドルハウジングの一方に、フック保持部の全体を一体に形成した構成としてもよい。
また、前後の連通溝部４５ｃ，４６ｃの外側を区画する案内壁部４５ｅ，４６ｅに、それぞれ左右方向ほぼ中央が山形に突き出す方向に傾斜した傾斜面を形成する構成を例示したが、係る傾斜面を省略して対向する保持壁部４５ｄ，４６ｄと同様ほぼ平坦な面としてもよい。
また、フック保持部４２の左側に取り外し溝部４７を設けて、支持脚部４１ｃ，４１ｃを左側に位置させた状態（左側大間隔位置（ＬＬ）又は右側小間隔位置（ＲＳ））で取り外し可能な構成を例示したが、この取り外し溝部を右側に設けて左側小間隔位置（ＬＳ）又は右側大間隔位置（ＲＬ）においてフック本体４１をフック保持部４２に対して取り外し、取り付け可能な構成としてもよく、あるいはフック保持部の左右両側に取り外し溝部を設けて、支持脚部４１ｃ，４１ｃの位置について左右いずれの側においても当該フック本体４１を取り付け、取り外し可能な構成としてもよい。
さらに、携帯工具の一例としてガス燃焼式の釘打ち機を例示したが、例えばねじ締め機や孔開け用ドリル等その他の携帯工具についても同様に適用することができる。
【図面の簡単な説明】
【００１４】
【図１】本実施形態に係る携帯工具の斜視図である。本図は、携帯工具を左側面側から見た状態を示している。また、各図において表示した前後方向及び左右方向についてはハンドル部を把持した使用者を基準にして用いる。
【図２】ハンドル部の後端部の斜視図であって、フック及びその周辺の斜視図である。本図は、フック本体を左側大間隔位置に取り付けた状態を示している。
【図３】フック本体の斜視図である。
【図４】フック保持部の斜視図である。
【図５】ハンドル部の後端部の斜視図であって、フック及びその周辺の斜視図である。本図は、フック本体を左側小間隔位置に取り付けた状態を示している。
【図６】フック本体のフック保持部に対する取り付け位置を図２の矢印(6)方向から見た図である。本図では、ハンドル部の図示が省略され、フック保持部の図示は簡略化されている。また、本図では、フック本体の位置について、左側大間隔位置が実線で示され、左側小間隔位置、右側大間隔位置及び右側小間隔位置が二点鎖線で示されている。
【符号の説明】
【００１５】
１…携帯工具
１０…工具本体
１１…ドライバガイド
２０…ハンドル部
２１，２２…ハンドルハウジング
２３，２４…開口部
３０…マガジン
４０…フック
４１…フック本体
４１ａ…引き掛け部、４１ｂ…延長腕部、４１ｃ…支持脚部
４１ｄ…係合部
４２…フック保持部
４３…左側壁部、４３ａ…挿通孔
４４…右側壁部、４４ａ…ボス部、４４ｂ…挿通孔
４５…前側壁部
４５ａ…支持孔（左側）、４５ｂ…支持孔（右側）、４５ｃ…連結溝部
４５ｄ…保持壁部、４５ｅ…案内壁部、４５ｆ…当接壁部
４６…後側壁部
４６ａ…支持孔（左側）、４６ｂ…支持孔（右側）、４６ｃ…連結溝部
４６ｄ…保持壁部、４６ｅ…案内壁部、４６ｆ…当接壁部
４７…取り外し溝部
【図１】
0005188873.tif 000002
【図２】
0005188873.tif 000003
【図３】
0005188873.tif 000004
【図４】
0005188873.tif 000005
【図５】
0005188873.tif 000006
【図６】
0005188873.tif 000007